(57)【要約】【課題】携行に便利で、いつでも鏡の前であるという装着場所を選ばなくて良いという使い捨てコンタクトレンズの利便性を損なわず、別途に手鏡やコンパクト状のケースを必要とすることなしに装着状態の確認を可能とする。【解決手段】基板３に半球形の窪みからなるレンズ収容部２を形成するとともに基板３をレンズ収容部２の周囲を密着させて可撓性と水密性を有するカバーシート６で覆った使い捨てコンタクトレンズ用容器１において、基板３の表面または裏面の一部に鏡面７を形成した。【選択図】図３
2007147789.tif 000002
【特許請求の範囲】
【請求項１】
基板に半球形の窪みからなるレンズ収容部を形成するとともに前記基板を前記レンズ収容部の周囲を密着させて可撓性と水密性を有するカバーシートで覆った使い捨てコンタクトレンズ用容器において、前記基板の表面または裏面の一部に鏡面を形成したことを特徴とする使い捨てコンタクトレンズ用容器。
【請求項２】
前記基板が硬質合成樹脂により形成されているとともに、前記カバーシートが合成樹脂シート、アルミニウムシート、接着剤により形成されている請求項１記載の使い捨てコンタクトレンズ用容器。
【請求項３】
前記鏡面が前記基板面にホットスタンプ、印刷、塗装、インモールド転写、蒸着加工により形成されている請求項１または２記載の使い捨てコンタクトレンズ用容器。
【請求項４】
前記鏡面が前記基板の表面に形成されているとともに前記カバーシートに前記鏡面を露出させる透窓が形成されている請求項１，２または３記載の使い捨てコンタクトレンズ用容器。
【請求項５】
前記カバーシートに形成された前記透窓を覆う透明カバーシートが付設されている請求項４記載の使い捨てコンタクトレンズ用容器。
【請求項６】
前記鏡面が表面に鏡面を有するシートを接着してまたは表面に鏡面を有する粘着シートにより形成されている請求項１，２，３，４または５記載の使い捨てコンタクトレンズ用容器。
【発明の詳細な説明】
【技術分野】
【０００１】
本発明は、使い捨てコンタクトレンズ用容器に関するものである。
【背景技術】
【０００２】
近頃、コンタクトレンズの低価格が進み、簡便さや衛生面から使い捨てコンタクトレンズの使用が一般的になってきている。そして、この使い捨てコンタクトレンズは所謂ソフトコンタクトレンズといわれる適宜軟質で湿潤性を持たせた状態で保存する必要があり、例えば食塩水に密封された環境において保存される。
【０００３】
また、使い捨てコンタクトレンズは、滅菌と安定した状態で保存が可能な容器により使用者に提供される必要があるばかりか、容器は携行にも便利で使用時に簡単に取り出せるとともに使用後の処理も容易で、しかも低価格で提供できるものであることを要する。
【０００４】
そこで、使い捨てコンタクトレンズ用容器として、例えば特開平９−４７３１２号公報、特開く２００５−２３４５７６号公報、特開２００５−２３１７４０号公報などに示すタイプのものが知られている。この使い捨てコンタクトレンズ用容器は、図１０および図１１に示すように、半球形の窪みからなるレンズ収容部２を形成する硬質合成樹脂製の基板３を前記レンズ収容部２の周囲を接着することにより密着させてアルミニウムと合成樹脂シート、接着剤からなるラミネートシートからなる可撓性と水密性を有するカバーシート６で覆ったものであり、密封状態のレンズ収容部２に食塩水などの保存液４と共にコンタクトレンズ５が保存される。
【０００５】
このような容器に収容された使い捨てコンタクトレンズ５は、通常は１つずつに切り取り可能に複数個が連続した形態で箱に詰めて提供され、１つずつであっても、そのままの状態で携行が可能であり、きわめて便利である。
【０００６】
また、従来からコンタクトレンズの使用にはコンタクトレンズを正確に装着したり、使用中のずれや目の中に異物が混入したりするのを確認するために鏡が必要な場合があり、例えば実開昭６３−８８８２６号公報、実開昭６３−８８１２２号公報などに示すように従来、コンタクトレンズの保存用容器を収容するケースには化粧用のコンパクトのように鏡を付設したものが知られている。
【０００７】
そして、使い捨てコンタクトレンズも装着に関しては従来の保存形のコンタクトレンズと同様であり、使用に際して鏡を必要な場合が生じることになり、そのためには小型の鏡を携帯したり、従来の保存式のコンタクトレンズと同様に鏡を付設したコンパクト形のケースを携帯することになるが、これでは従来の保存形のコンタクトレンズと同じことになり、使い捨てコンタクトレンズの利便性が損なわれる。
【特許文献１】特開平９−４７３１２号公報
【特許文献２】特開２００５−２３４５７６号公報
【特許文献３】特開２００５−２３１７４０号公報
【特許文献４】実開昭６３−８８８２６号公報
【特許文献５】実開昭６３−８８１２２号公報
【発明の開示】
【発明が解決しようとする課題】
【０００８】
本発明は前記の実情に鑑みてなされたものであり、携行に便利で、いつでも鏡の前であるという装着場所を選ばなくて良いという使い捨てコンタクトレンズの利便性を損なわず
、別途に手鏡やコンパクト状のケースを必要とすることなしに装着状態の確認を可能にすることを課題とする。
【課題を解決するための手段】
【０００９】
前記課題を解決するために、本発明は使い捨てコンタクトレンズ用容器を、基板に半球形の窪みからなるレンズ収容部を形成するとともに前記基板を前記レンズ収容部の周囲を密着させて可撓性と水密性を有するカバーシートで覆った使い捨てコンタクトレンズ用容器において、前記基板の表面または裏面の一部に鏡面を形成することにした。
【００１０】
容器に鏡面を形成したので別途に手鏡やコンパクト状のケースを携行する必要がなく、装着場所および点検場所も限定されない。
【００１１】
また、前記基板が硬質合成樹脂により形成されているとともに、前記カバーシートが合成樹脂シート、アルミニウムシート、接着剤により形成されている場合には、前記カバーシートを折り曲げて基板の表面または裏面に形成された鏡面を使い勝手のよい位置に保持させることができる。
【００１２】
更に、前記鏡面が前記基板面にホットスタンプ、印刷、塗装、インモールド転写または蒸着加工により形成されている場合には、鏡面効果が充分であるばかりか製造コストも安く済むとともに廃棄処理も容易で使い捨てコンタクトレンズとして最適であり、特に、前記鏡面が表面に鏡面を有するシートを接着してまたは表面に鏡面を有する粘着シートにより形成されている場合には後から容易に鏡面を形成することができる。特に、インモールド転写を用いる場合には、容器を成形する工程で鏡面を自動的に形成できるので多量生産に適している。
【００１３】
更にまた、前記カバーシートと前記鏡面とが接着していない場合、および前記鏡面が前記基板の表面に形成されているとともに前記カバーシートに前記鏡面を露出させる透窓が形成されている場合には、カバーシートを剥がすことなく鏡面を利用することができるので予備として携行している使い捨てコンタクトレンズの容器を開封することなく鏡面の使用ができるので、使用済みの容器は装着時に廃棄してもよく携行しなくても鏡面を利用することができる。
【発明の効果】
【００１４】
本発明によると、使い捨てコンタクトレンズの利便性を残したまま、装着ならびに点検が更に容易且つ便利になり、特に、前記基板面にホットスタンプ、印刷、塗装または蒸着加工により鏡面を形成した場合には製造も容易で廉価に提供でき、廃棄上の問題もない。
【発明を実施するための最良の形態】
【００１５】
次に、図面を参照して本発明の実施の形態を説明する。図１乃至図３は本発明の好ましい実施の形態の一例を記すものであり、使い捨てコンタクトレンズ容器１は、従来の使い捨てコンタクトレンズ容器と同様に、ポリプロピレン、ポリエチレンテレフタレート、ポリカーボネートなどの硬質合成樹脂を用いて射出成形、バキューム成形などにより半球形の窪みからなるレンズ収容部２を有する平板状の基板３が形成されており、前記レンズ収容部２に例えば生理食塩水４と使い捨てコンタクトレンズ５を収容して、前記基板３の表面と同形でポリエチレンなどの合成樹脂シート、アルミニウムシート、熱可塑性の樹脂系接着剤をラミネートした少なくとも可撓性と水密性とを有するカバーシート６により覆われているとともに、前記レンズ収容部２の周囲をシートシール工法により接着して基板３と密着させている。
【００１６】
また、前記基板３のレンズ収容部２に対向するカバーシート６が接着されていない剥がし部３１には例えば、アルミ箔などを用いたホットスタンプ、アルミニウムのような金属粉顔料を含む鏡面インクを用いたシルク印刷（スクリーン印刷）、或いは金属粉顔料を含む塗料による塗装、インモールド転写またはアルミニウムなどの金属による蒸着加工などにより鏡面７が形成されている。特に、例えば鏡面を形成した転写フィルムを（箱）を同一型内で成形した後、樹脂を射出して成形表面に鏡面を形成するインモールド転写は多量生産に適している。また、本発明は、これらのように、基板３に直接的に鏡面７を形成することもできるが、これらの鏡面を形成したシートを接着し或いは粘着シートで基板３に貼着させるものであってもよく（図示せず）、この場合には、単に既成の或いは別途に形成した鏡面シートを完成した使い捨てコンタクトレンズ容器に貼ればよく、特別に機械や装置を必要とせず、きわめて簡単且つ廉価に製品を提供することができる。
【００１７】
このように構成される本実施の形態は従来の使い捨てコンタクトレンズ容器と同様に図３に示すようにカバーシート６を剥がし部３１部分から開放して前記レンズ収容部２の周囲の接着を解除して露出させたレンズ収容部２から使い捨てコンタクトレンズ５を取り出して装着するものであるが、本実施の形態では、カバーシート６を剥がしたときに基板３上に鏡面７が出現する。
【００１８】
従って、使用者は鏡面７を用いて使い捨てコンタクトレンズ５の装着や点検を行うことができる。特に、本実施の形態では平滑な基板３にホットスタンプ、印刷、塗装または蒸着加工のような極薄い鏡面７を形成しているので鏡面７は歪みなく、また、使用時まではカバーシート６により覆われているので保管中に傷が付いたりする心配もない。
【００１９】
また、本実施の形態は、カバーシート６が適宜の塑性を有するアルミニウムを含んでいるので図４に示すように、カバーシート６を全て剥がさずに一部を残すとともに遊離した部分を屈曲させることにより基板３を所定の角度に向けた状態で支持させることができたり、或いは、図５に示すようにカバーシート６の先端を裏側に直角に曲げることにより形成される屈曲端６を例えば屋内外の例えば家具や壁など８の水平面８１などに係止することにより、鏡面７を垂直の状態に支持させることができ、使い勝手が良い。尚、カバーシート６の表面に予め剥離シートで覆った粘着面を形成しておく場合には使い捨てレンズ５の取り出し後にカバーシート６を基板３に沿って延ばし、剥離シートを剥がして露出させた粘着面を壁面などに貼着させることもできる（図示せず）。
【００２０】
また、図６は本発明の異なる実施の形態を示すものであり、全体の構成は前記図１乃至図５に示した実施の形態とほぼ同様であるが、カバーシート６に前記基板３の表面に形成されている鏡面７を露出させる透窓６２が形成されている。従って、前記図１乃至図５に示した実施の形態と同様にカバーシート６を剥がしたときに鏡面７を使用することができることはいうまでもなく、カバーシート６を剥がさない状態でも鏡面７を利用することができるので予備として携行している使い捨てコンタクトレンズの容器を開封することなく鏡面７を使用できるので、例えば装着後にゴミが目に入ったりずれたりしたときに備えて使用済みの容器１を携行する必要がなく、図７に示すように、カバーシート６に透窓６２を利用して壁面などに設けられている突起物９に差し込み係止して使用することもできる。
【００２１】
図８は本発明の更にことなる実施の形態を示すものであり、少なくとも前記カバーシート６に形成した透窓６２をカバーシート６の表面に付設した透明カバーシート６３で覆うことにより、携行中に鏡面７が傷つくのを防止することができる。尚、前記透明カバーシート６３は覆ったままの状態で鏡面７を使用しても良いが、見えにくかったり、前記図７に示すような使用をしたい場合には適宜、破るか゛取り去って使用すればよい。
【００２２】
更に、図９は本発明の更に異なる実施の形態を示すものであり、基板３の裏面に鏡面７を形成したものである。本実施の形態は図７に示した実施の形態と同様に、カバーシート６を剥がさなくても鏡面７を使用することができるばかりか、基板の鏡面７の裏側に当たる部分が平滑面であることから、平面においたり、何かに立てかけた場合などに安定した状態で保持させることができる。
【図面の簡単な説明】
【００２３】
【図１】本発明の好ましい実施の形態を示す斜視図。
【図２】図１のＡ−Ａ線に沿う断面図。
【図３】図１に示す実施の形態についての使用状態を示す説明図。
【図４】図１に示す実施の形態についての使用状態を示す説明図。
【図５】図１に示す実施の形態についての使用状態を示す説明図。
【図６】本発明の異なる実施の形態を示す斜視図。
【図７】図５に示す実施の形態についての使用状態を示す説明図。
【図８】本発明の更に異なる実施の形態を示す斜視図。
【図９】本発明の別の実施の形態を示す斜視図。
【図１０】従来例を示す斜視図。
【図１１】図１０のＢ−Ｂ線に沿う断面図。
【符号の説明】
【００２４】
１  使い捨てコンタクトレンズ用容器、  ２  レンズ収容部、  ３  基板、  ５  使い捨てコンタクトレンズ、  ６  カバーシート、  ７ 鏡面、  ６２  透窓  ６３  透明透明カバーシート
【図１】
2007147789.tif 000003
【図２】
2007147789.tif 000004
【図３】
2007147789.tif 000005
【図４】
2007147789.tif 000006
【図５】
2007147789.tif 000007
【図６】
2007147789.tif 000008
【図７】
2007147789.tif 000009
【図８】
2007147789.tif 000010
【図９】
2007147789.tif 000011
【図１０】
2007147789.tif 000012
【図１１】
2007147789.tif 000013